(57)【特許請求の範囲】
【請求項１】
脚部１，１，１，１を着脱自在に取り付ける脚取付部２，２，２，２を備え、上縁に金網体又は鉄板体等の加熱板体３を載置する角状燃焼炉体４を有し、且つ角状燃焼炉体４は、相対した１対の前後板体５，５と左右板体６，６とから成り、更に底形成板７，７の先端縁に半分は互いに上下が逆となる下接合縁８，８と上接合縁９，９を設けると共に底形成板７，７に第１折曲線１０，１０を介してロストル１１を支持するロストル支持部１２，１２を内方に突出した傾斜板１３，１３を形成し、前記傾斜板１３，１３に第２折曲線１４，１４を介して通気小孔１５，１５・・・を設けた立設板１６，１６を形成し、前記立設板１６，１６に第３折曲線１７，１７を介して加熱板体３を載置する載置段部１８，１８を形成し、前記載置段部１８，１８に第４折曲線１９，１９を介して外方に立設折曲した逆Ｕ字状の補強突条部２０，２０を形成して１対の前後板体５，５を構成し、又更に通気大口２１，２１を設けた側面板２２，２２の下部周縁に第５折曲線２３，２３を介して前後板体５，５の底形成板７，７と、傾斜板１３，１３と、立設板１６，１６の両端縁に当接する折曲端板２４，２４とを設けると共に側面板２２，２２の上部縁に第６折曲線２５，２５を介して両端部２６，２６，２６，２６が補強突条部２０，２０の両端縁に当接する内方に折曲した逆Ｕ字状の補強縁部２７，２７を設けて左右板体６，６を形成し、且又前後板体５，５で下接合縁８，８と上接合縁９，９を互いに接合して組立てた前後板体５，５の両端縁に左右板体６，６の折曲端板２４，２４が接合する数箇所を第１スポット溶接部２８，２８，２８・・・を介して溶接し、更に前記脚取付部２，２，２，２は、前後板体５，５の両側上部４箇所に八字状切溝２９，２９，２９，２９，２９，２９，２９，２９を設け、該４箇所の八字状切溝２９，２９，２９，２９，２９，２９，２９，２９に挿入する上部隅角部３０，３０を有すると共に脚部１，１，１，１の上端を挿入する挿入凸出部３１と押圧ネジ３２を設けた脚部取付板３３，３３，３３，３３を第２スポット溶接部３４，３４・・・を介して前後板体５，５に取付けることによって形成したことを特徴とするバーベキューこんろ。
【発明の詳細な説明】
【０００１】
【産業上の利用分野】
この発明は使用便利なバーベキューこんろに関するものである。
【０００２】
【従来の技術】
従来野外に於いて料理を楽しむことができる多種多様のバーベキューこんろは知られている。
【０００３】
【発明が解決しようとする問題点】
ところで従来のバーベキューこんろは使い勝手が悪く、好適に使用することができない等の欠点があった。
【０００４】
この発明は上記の問題点を解決したものであり、使用便利なバーベキューこんろを得ることを目的としたものである。
【０００５】
【問題点を解決するための手段】
上記の目的を達成するためのこの発明は、脚部１，１，１，１を着脱自在に取り付ける脚取付部２，２，２，２を備え、上縁に金網体又は鉄板体等の加熱板体３を載置する角状燃焼炉体４を有し、且つ角状燃焼炉体４は、相対した１対の前後板体５，５と左右板体６，６とから成り、更に底形成板７，７の先端縁に半分は互いに上下が逆となる下接合縁８，８と上接合縁９，９を設けると共に底形成板７，７に第１折曲線１０，１０を介してロストル１１を支持するロストル支持部１２，１２を内方に突出した傾斜板１３，１３を形成し、前記傾斜板１３，１３に第２折曲線１４，１４を介して通気小孔１５，１５・・・を設けた立設板１６，１６を形成し、前記立設板１６，１６に第３折曲線１７，１７を介して加熱板体３を載置する載置段部１８，１８を形成し、前記載置段部１８，１８に第４折曲線１９，１９を介して外方に立設折曲した逆Ｕ字状の補強突条部２０，２０を形成して１対の前後板体５，５を構成し、又更に通気大口２１，２１を設けた側面板２２，２２の下部周縁に第５折曲線２３，２３を介して前後板体５，５の底形成板７，７と、傾斜板１３，１３と、立設板１６，１６の両端縁に当接する折曲端板２４，２４とを設けると共に側面板２２，２２の上部縁に第６折曲線２５，２５を介して両端部２６，２６，２６，２６が補強突条部２０，２０の両端縁に当接する内方に折曲した逆Ｕ字状の補強縁部２７，２７を設けて左右板体６，６を形成し、且又前後板体５，５で下接合縁８，８と上接合縁９，９を互いに接合して組立てた前後板体５，５の両端縁に左右板体６，６の折曲端板２４，２４が接合する数箇所を第１スポット溶接部２８，２８，２８・・・を介して溶接し、更に前記脚取付部２，２，２，２は、前後板体５，５の両側上部４箇所に八字状切溝２９，２９，２９，２９，２９，２９，２９，２９を設け、該４箇所の八字状切溝２９，２９，２９，２９，２９，２９，２９，２９に挿入する上部隅角部３０，３０を有すると共に脚部１，１，１，１の上端を挿入する挿入凸出部３１と押圧ネジ３２を設けた脚部取付板３３，３３，３３，３３を第２スポット溶接部３４，３４・・・を介して前後板体５，５に取付けることによって形成したものである。
【０００６】
【実施例】
この発明の実施例を図１乃至図１６で説明すると、脚部１，１，１，１を着脱自在に取り付ける脚取付部２，２，２，２を備え、上縁に金網体又は鉄板体等の加熱板体３を載置する角状燃焼炉体４を有し、且つ角状燃焼炉体４は、相対した１対の前後板体５，５と左右板体６，６とから成り、更に底形成板７，７の先端縁に半分は互いに上下が逆となる下接合縁８，８と上接合縁９，９を設けると共に底形成板７，７に第１折曲線１０，１０を介してロストル１１を支持するロストル支持部１２，１２を内方に突出した傾斜板１３，１３を形成し、前記傾斜板１３，１３に第２折曲線１４，１４を介して通気小孔１５，１５・・・を設けた立設板１６，１６を形成し、前記立設板１６，１６に第３折曲線１７，１７を介して加熱板体３を載置する載置段部１８，１８を形成し、前記載置段部１８，１８に第４折曲線１９，１９を介して外方に立設折曲した逆Ｕ字状の補強突条部２０，２０を形成して１対の前後板体５，５を構成し、又更に通気大口２１，２１を設けた側面板２２，２２の下部周縁に第５折曲線２３，２３を介して前後板体５，５の底形成板７，７と、傾斜板１３，１３と、立設板１６，１６の両端縁に当接する折曲端板２４，２４とを設けると共に側面板２２，２２の上部縁に第６折曲線２５，２５を介して両端部２６，２６，２６，２６が補強突条部２０，２０の両端縁に当接する内方に折曲した逆Ｕ字状の補強縁部２７，２７を設けて左右板体６，６を形成し、且又前後板体５，５で下接合縁８，８と上接合縁９，９を互いに接合して組立てた前後板体５，５の両端縁に左右板体６，６の折曲端板２４，２４が接合する数箇所を第１スポット溶接部２８，２８，２８・・・を介して溶接したものである。
【０００７】
又脚部１，１，１，１を着脱自在に取り付ける脚取付部２，２，２，２を備え、上縁に金網体又は鉄板体等の加熱板体３を載置する角状燃焼炉体４を有し、且つ角状燃焼炉体４は、相対した１対の前後板体５，５と左右板体６，６とを設け、更に前後板体５，５の両側上部４箇所に八字状切溝２９，２９，２９，２９，２９，２９，２９，２９を設け、該４箇所の八字状切溝２９，２９，２９，２９，２９，２９，２９，２９に挿入する上部隅角部３０，３０を有すると共に脚部１，１，１，１の上端を挿入する挿入凸出部３１と押圧ネジ３２を設けた脚部取付板３３，３３，３３，３３を第２スポット溶接部３４，３４・・・を介して前後板体５，５に取付けたものである。
【０００８】
又八字状切溝２９，２９に連設して三角状膨出面部３５，３５の背面に脚部取付板３３の上部隅角部３０，３０が当接するようにすると共に脚部取付板３３と前後板体５，５とを第２スポット溶接部３４，３４を介して取付けたことで脚部取付板３３は前後板体５，５から妄りに離脱することなく強固に取付けられたものである。
【０００９】
又やや弾性を有したＵ字状の持上用把持杆体３６，３６はその両端軸部３７，３７，３７，３７を左右板体６，６に設けた軸孔３８，３８，３８，３８に回動自在並びに持上用把持杆体３６，３６の両側長杆３９，３９を強く把握することができ、軸孔３８，３８，３８，３８に取付けることができるものである。
【００１０】
【発明の作用効果】
この発明は以上のように脚部１，１，１，１を着脱自在に取り付ける脚取付部２，２，２，２を備え、上縁に金網体又は鉄板体等の加熱板体３を載置する角状燃焼炉体４を有したことによって野外で料理を楽しむことができるものである。
【００１１】
又角状燃焼炉体４は、相対した１対の前後板体５，５と左右板体６，６とから成り、更に底形成板７，７の先端縁に半分は互いに上下が逆となる下接合縁８，８と上接合縁９，９を設けると共に底形成板７，７に第１折曲線１０，１０を介してロストル１１を支持するロストル支持部１２，１２を内方に突出した傾斜板１３，１３を形成し、前記傾斜板１３，１３に第２折曲線１４，１４を介して通気小孔１５，１５・・・を設けた立設板１６，１６を形成し、前記立設板１６，１６に第３折曲線１７，１７を介して加熱板体３を載置する載置段部１８，１８を形成し、前記載置段部１８，１８に第４折曲線１９，１９を介して外方に立設折曲した逆Ｕ字状の補強突条部２０，２０を形成して１対の前後板体５，５を構成したことによって、前後板体５，５で下接合縁８，８と上接合縁９，９とを図７、図８に図示したように前後板体５，５の長手方向の中央部より左右の位置で上下を逆にして重合形成することで底形成板７，７が妄りに変形しないものである。
【００１２】
又通気大口２１，２１を設けた側面板２２，２２の下部周縁に第５折曲線２３，２３を介して前後板体５，５の底形成板７，７と、傾斜板１３，１３と、立設板１６，１６の両端縁に当接する折曲端板２４，２４とを設けると共に側面板２２，２２の上部縁に第６折曲線２５，２５を介して両端部２６，２６，２６，２６が補強突条部２０，２０の両端縁に当接する内方に折曲した逆Ｕ字状の補強縁部２７，２７を設けて左右板体６，６を形成したことによって、下接合縁８，８と上接合縁９，９を互いに接合して組立てた前後板体５，５の両側縁に左右板体６，６の折曲端板２４，２４を当接することが簡単に行うことができて角状燃焼炉体４の組立てを複雑な工作手段を要することなく迅速に行うことができるものである。
【００１３】
又前後板体５，５で下接合縁８，８と上接合縁９，９を互いに接合して組立てた前後板体５，５の両端縁に左右板体６，６の折曲端板２４，２４が接合する数箇所を第１スポット溶接部２８，２８，２８・・・を介して溶接したことによって前後板体５，５と左右板体６，６との接合を強固に行うことができて長期の使用に耐え得る角状燃焼炉体４を得ることができたものある。
【００１４】
又角状燃焼炉体４を形成した前後板体５，５の両側上部４箇所に八字状切溝２９，２９，２９，２９，２９，２９，２９，２９を設け、該４箇所の八字状切溝２９，２９，２９，２９，２９，２９，２９，２９に挿入する上部隅角部３０，３０を有すると共に脚部１，１，１，１の上端を挿入する挿入凸出部３１と押圧ネジ３２を設けた脚部取付板３３，３３，３３，３３を第２スポット溶接部３４，３４・・・を介して前後板体５，５に取付けたことによって脚部１，１，１，１の立設が確実で脚部１，１，１，１を取付ける脚部取付板３３，３３，３３，３３が前後板体５，５より外れて使用中に角状燃焼炉体４が倒れて危険であるようなことがない。
【００１５】
又不使用時は脚部１，１，１，１を外して嵩張ることなく保管することができるものである。
【００１６】
以上のようにこの発明は使い勝手がよく使用上極めて好都合である。
【図面の簡単な説明】
【図１】加熱板体に金網体を使用時の斜視図である。
【図２】一部の分解斜視図である。
【図３】加熱板体に鉄板体を使用時の斜視図である。
【図４】鉄板体をやや上方に上げた状態の斜視図である。
【図５】角状燃焼炉体の側面図である。
【図６】角状燃焼炉体の上面図である。
【図７】角状燃焼炉体の中央部よりも右側に位置した箇所の縦断面図である。
【図８】角状燃焼炉体の中央部よりも左側に位置した箇所の縦断面図である。
【図９】加熱板体を外した状態の縦断面図である。
【図１０】脚取付部と脚部との関係を示した一部切欠断面図である。
【図１１】脚取付部と角状燃焼炉体の関係を示した分解斜視図である。
【図１２】脚取付部と角状燃焼炉体の関係を示した斜視図である。
【図１３】脚取付部と角状燃焼炉体の関係を示した背面斜視図である。
【図１４】角状燃焼炉体と持上用把持杆体との関係を示した分解斜視図である。
【図１５】角状燃焼炉体に持上用把持杆体を取付ける状態を示した斜視図である。
【図１６】角状燃焼炉体と持上用把持杆体との関係を示した斜視図である。
【符号の説明】
１  脚部
２  脚取付部
３  加熱板体
４  角状燃焼炉体
５  前後板体
６  左右板体
７  底形成板
８  下接合縁
９  上接合縁
１０  第１折曲線
１１  ロストル
１２  ロストル支持部
１３  傾斜板
１４  第２折曲線
１５  通気小孔
１６  立設板
１７  第３折曲線
１８  載置段部
１９  第４折曲線
２０  補強突条部
２１  通気大口
２２  側面板
２３  第５折曲線
２４  折曲端部
２５  第６折曲線
２６  両端部
２７  補強縁部
２８  第１スポット溶接部
２９  八字状切溝
３０  上部隅角部
３１  挿入凸出部
３２  押圧ネジ
３３  脚部取付板
３４  第２スポット溶接部
３５  三角状膨出面部
３６  持上用把持杆体
３７  両端軸部
３８  軸孔
３９  両側長杆
【図１】
0003576632.tif 000002
【図２】
0003576632.tif 000003
【図３】
0003576632.tif 000004
【図４】
0003576632.tif 000005
【図５】
0003576632.tif 000006
【図６】
0003576632.tif 000007
【図７】
0003576632.tif 000008
【図８】
0003576632.tif 000009
【図９】
0003576632.tif 000010
【図１０】
0003576632.tif 000011
【図１１】
0003576632.tif 000012
【図１２】
0003576632.tif 000013
【図１３】
0003576632.tif 000014
【図１４】
0003576632.tif 000015
【図１５】
0003576632.tif 000016
【図１６】
0003576632.tif 000017